(57)【要約】【課題】共通の光伝送路を波長が異なる光が双方向に伝搬する光通信路において各波長の光が何れの方向に伝搬しているかをモニタする。  【解決手段】第１検出対象波長を持つ入射光に対しては一部を透過させ残余を反射させる第１多層膜光フィルタと、第２検出対象波長を持つ入射光に対しては一部を透過させ残余を反射させる第２多層膜光フィルタと、第１ポートに入射される光が第１多層膜光フィルタを透過するか否かを検出する第１受光器と、第２ポートに入射される光が第２多層膜光フィルタで反射しその反射光が第１多層膜光フィルタを透過するか否かを検出する第２受光器と、第２ポートから入射された光が第２多層膜光フィルタを透過するか否かを検出する第３受光器と、第１ポートに入射された光が第１多層膜光フィルタで反射し、その反射光が第２多層膜光フィルタを透過するか否かを検出する第４受光器とを備える光モニタモジュール。【選択図】  図１
2006235482.tif 000002
【特許請求の範囲】
【請求項１】
第１ポートに入射される光の光軸が斜めに交差する位置に配置され、第１検出対象波長を持つ入射光に対しては一部を透過させ残余を反射させ他の波長の光は全て反射させる第１多層膜光フィルタと、
第２ポートに入射される光の光軸が斜めに交差する位置に配置され、第２検出対象波長を持つ入射光に対しては一部を透過させ、残余は反射させ他の波長の光は全て反射させる第２多層膜光フィルタと、
上記第１ポートに入射される光の光軸上に配置され、上記第１ポートに入射される光の一部が上記第１多層膜光フィルタを透過するか否かを検出する第１受光器と、
上記第２ポートに入射される光が上記第２多層膜光フィルタで反射し、その反射光の光軸上に配置され、上記第２多層膜光フィルタで反射した反射光の一部が上記第１多層膜光フィルタを透過するか否かを検出する第２受光器と、
上記第２ポートに入射される光の光軸上に配置され、上記第２ポートから入射された光の一部が上記第２多層膜光フィルタを透過するか否かを検出する第３受光器と、
上記第１ポートに入射された光が上記第１多層膜光フィルタで反射し、その反射光の光軸上に配置され、上記第１多層膜光フィルタで反射した反射光の一部が上記第２多層膜光フィルタを透過するか否かを検出する第４受光器と、
を備えることを特徴とする光モニタモジュール。
【請求項２】
上記第１多層膜光フィルタと上記第２多層膜光フィルタとは１つのプリズムの互いに９０度の相対角をなす隣り合った２つの面のそれぞれに成膜形成され、上記第１ポートと上記第２ポートは同じ向きに隣り合って並ぶ２つの平行な光路を構成することを特徴とする請求項１に記載される光モニタモジュール。
【請求項３】
上記第１多層膜光フィルタと上記第２多層膜光フィルタは互いの板面同士がほぼ９０度の相対角をなして配置された２つの透明板にそれぞれ成膜形成され、上記第１ポートと上記第２ポートとは同じ向きに隣り合って並ぶ２つの平行な光路を構成することを特徴とする請求項１に記載される光モニタモジュール。
【請求項４】
上記第１ポートと上記第２ポートはそれぞれ光コネクタの接続を受けることのできる合わせて２つの光レセプタクルでなり、そのそれぞれと上記第１及び第２多層膜光フィルタとの間にはそれぞれ光コリメエート用レンズをそれぞれ具備することを特徴とする請求項１乃至請求項３の何れかに記載される光モニタモジュール。
【請求項５】
上記第１ポートと上記第２ポートはそれぞれ基板上のＶ溝に位置決め固定された合わせて２本の光ファイバ端部でなり、そのそれぞれと上記第１及び第２多層膜光フィルタとの間にはそれぞれ光コリメエート用レンズを各具備することを特徴とする請求項１乃至請求項３の何れかに記載される光モニタモジュール。
【請求項６】
ｎを２以上の整数として、請求項１乃至請求項５の何れかに記載される光モニタモジュールをｎ個縦列にそれらのポート同士順に接続して、互に相異なる２ｎ個の光波長につきモニタするものとしたことを特徴とする光モニタモジュール。
【発明の詳細な説明】
【技術分野】
【０００１】
本発明は光ファイバ通信システムにおいて、システムが正常に動作しているか否かを監視することに用いる光モニタモジュールに関する。
【背景技術】
【０００２】
光ファイバ通信システムにあっては、システムの動作を監視する必要がある。このような用途において、例えば図１０に示すように光を入射及び出射し、先端を球状化した２本の光ファイバＦ１、Ｆ２と、光の一部は透過するが、ほとんどの光を反射させる一部透過型反射ミラー２０４と、一部透過型反射ミラー２０４からの透過光を受光する受光素子２０２を備え、先球光ファイバＦ１、Ｆ２はその光軸方向同士のなす角度θが３０°以下とされ、受光素子２０２を２個用いることでそれぞれの光ファイバにおける光の入出射の方向をモニタする光モニタが提案されている（特許文献１）。
【０００３】
従来技術の他の例として図１１に示す光ファイバＦ１、Ｆ２の接合点に分岐膜２０を配置し、光ファイバＦ１、Ｆ２で伝送されてきた光の大部分は分岐膜２０を通じて他方の光ファイバに出力されるが、その一部が分岐膜２０で反射する。光ファイバＦ１側から伝送されて来た光の反射光を受光素子２１Ａで検出し、光ファイバＦ２側から伝送されて来た光の反射光を受光素子２１Ｂで受光する。受光素子２１Ａと２１Ｂで受光した光の強度を図１２に示すレベル比較回路で比較し、強い反射光を検出した側の受光素子に対応する発光ダイオード２２Ａ又は２２Ｂを発光させることにより、光の伝送方向を表示する光モニタも提案されている（特許文献２）。
【特許文献１】特開２００４−６２１４４号公報
【特許文献２】特開２００２−２１４４８７号公報
【発明の開示】
【発明が解決しようとする課題】
【０００４】
上述した従来の技術にあっては、光ファイバ通信システムにおいて、一芯の光ファイバにより同時に複数の波長の光を用いて光通信を行う場合、１波長の光の入出射の方向を検出し、モニタすることは可能であるが、その他の波長は入出射の方向を検出し、モニタすることはできない欠点がある。
本発明の目的は光ファイバ通信システムにおいて、一芯の光ファイバで同時に異なる波長で光ファイバ通信を行う場合に、全ての波長の光について光の伝搬の方向を検出し、モニタすることができる光モニタモジュールを提供しようとするものである。
【課題を解決するための手段】
【０００５】
以下に課題を解決するための手段とその機能を図１乃至図４を用いて説明する。
この発明の第１実施形態では、第１ポート１Ａに入射される光の光軸が斜めに交差する位置に配置され、第１検出対象波長λ１を持つ入射光に対しては一部を透過させ残余を反射させ他の波長の光は全て反射させる第１多層膜光フィルタ３Ａと、第２ポート１Ｂに入射される光の光軸が斜めに交差する位置に配置され、第２検出対象波長λ２を持つ入射光に対しては一部を透過させ、残余は反射させ他の波長の光は全て反射させる第２多層膜光フィルタ３Ｂと、第１ポート１Ａに入射される光の光軸上に配置され、第１ポート１Ａに入射される光の一部が第１多層膜光フィルタ３Ａを透過するか否かを検出する第１受光器４Ｂと、第２ポート１Ｂに入射される光が第２多層膜光フィルタ３Ｂで反射し、その反射光の光軸上に配置され、第２多層膜光フィルタ３Ｂで反射した反射光の一部が第１多層膜光フィルタ３Ａを透過するか否かを検出する第２受光器４Ａと、第２ポート１Ｂに入射される光の光軸上に配置され、第２ポート１Ｂから入射された光の一部が第２多層膜光フィルタ３Ｂを透過するか否かを検出する第３受光器４Ｃと、第１ポートに入射された光が第１多層膜光フィルタ３Ａで反射し、その反射光の光軸上に配置され、第１多層膜光フィルタ３Ａで反射した反射光の一部が第２多層膜光フィルタ３Ｂを透過するか否かを検出する第４受光器４Ｄとを備える光モニタモジュールを提案する。
【０００６】
この発明の第２実施形態では第１多層膜光フィルタ３Ａと第２多層膜光フィルタ３Ｂとは１つのプリズムの互いに９０度の相対角をなす隣り合った２つの面のそれぞれに成膜形成され、第１ポート１Ａと第２ポート１Ｂは同じ向きに隣り合って並ぶ２つの平行な光路を構成した光モニタモジュールを提案する。
この発明の第３実施形態では第１多層膜光フィルタ３Ａと第２多層膜光フィルタ３Ｂは互いの板面同士がほぼ９０度の相対角をなして配置された２つの透明板にそれぞれ成膜形成され、第１ポート１Ａと第２ポート１Ｂとは同じ向きに隣り合って並ぶ２つの平行な光路を構成した光モニタモジュールを提案する。
【０００７】
この発明の第４実施形態では第１ポート１Ａと第２ポート１Ｂはそれぞれ光コネクタの接続を受けることのできる合わせて２つの光レセプタクルで構成し、そのそれぞれと第１及び第２多層膜光フィルタ３Ａ及び３Ｂとの間にはそれぞれ光コリメエート用レンズ２Ａ、２Ｂを各具備する光モニタモジュールを提案する。
この発明の第５実施形態では、第１ポートと第２ポートとはそれぞれ基板上のＶ溝に位置決め固定された合わせて２本の光ファイバ端部で構成し、そのそれぞれと第１及び第２多層膜光フィルタ３Ａ及び３Ｂとの間にはそれぞれ光コリメエート用レンズ２Ａ、２Ｂを各具備する光モニタモジュールを提案する。
この発明の第６実施形態では、検出対象波長が異なる第１多層膜光フィルタと第２多層膜光フィルタを備える光モニタモジュールを縦続接続した構成も提案する。
【０００８】
作用
この発明による、光モニタモジュールの構成によれば、第１受光器４Ｂが第１多層膜光フィルタ３Ａからの透過光を検出した場合は、第１検出対象波長λ１を持つ光の存在を検出し、更にその伝搬方向は第１ポート１Ａから第２ポート１Ｂへ向う方向であることが解る（図１）。
【０００９】
更に、第２受光器４Ａが第１多層膜光フィルタ３Ａからの透過光を検出した場合も、第１検出対象波長λ１を持つ光の存在を検出し、その伝搬方向は第２ポート１Ｂから第１ポート１Ａへ向う方向であることが解る（図２）。
一方、第３受光器４Ｃが第２多層膜光フィルタ３Ｂからの透過光を検出した場合は、第２検出対象波長λ２を持つ光の存在を検出し、その伝播方向は第２ポート１Ｂから第１ポート１Ａへ向う方向であることが解る（図３）。
図４受光器４Ｄが、第２多層膜光フィルタ３Ｂからの透過光を検出した場合は、第２検出対象波長λ２を持つ光の存在を検出し、その伝搬方向は第１ポート１Ａから第２ポート１Ｂへ向う方向であることが解る（図４）。
【発明の効果】
【００１０】
従って、この発明の第１実施形態によれば同一の光伝搬路を伝搬する互に波長が異なる少なくとも２つの光の存在と、その伝搬方向をモニタすることができる。
更に、本発明の第２及び第３実施形態によれば、第１及び第２多層膜光フィルタ３Ａ及び３Ｂがなす角度はさまざまな角度で構成することが可能であるが、特に９０°近辺に設定することにより、本発明のモジュールを光学系に接続すべき、第１ポート１Ａ及び第２ポート１Ｂを並設できる点で装置の小形化に有効である。
また、第１多層膜光フィルタ３Ａ及び第２多層膜光フィルタ３Ｂをプリズム或は直交して配置した透明板に成膜することにより少ない部品点数で第１ポート１Ａと第２ポート１Ｂを一面の基板上に隣接して設けることができ、小型で光学系への接続に便利な形態を得ることができる。特に実施形態４で提案するように第１ポート１Ａ及び第２ポート１Ｂを光レセプタクルで構成した場合は両ポートに１体に連携した２芯の光コネクタとレセプタクルとを利用して着脱の利便を図ることができる。
【００１１】
また、この発明の実施形態４及び５で用いる光コリメート用レンズはどのようなタイプでもよいが、後に実施例で説明するボールレンズ或は２個の凸レンズを所定の間隔で一体化したレンズアレイ、更には円筒形状のＧＲＩＮレンズなどを用いることもできる。
更に、第６実施形態によれば何個の波長の多重伝送にも対応してそれらの各波長毎の伝搬の向きをモニタすることができる。
【発明を実施するための最良の形態】
【００１２】
支持基板上に第１ポート１Ａと第２ポート１Ｂを並設する。第１ポートに入射される光の光軸と約４５°程度の角度で交叉する位置に第１多層膜光フィルタ３Ａを配置する。更に第２ポート１Ｂに入射される光の光軸と約４５°程度の角度で交叉する位置に第２多層膜光フィルタ３Ｂを配置する。これら第１多層膜光フィルタ３Ａと第２多層膜光フィルタ３Ｂは膜の材質、厚み等が適当に選択されて検出対象波長に対して一部を透過させ残余を反射させ、他の波長は全て反射させる特性に設定される（この技術は従来より公知である）。
【００１３】
第１ポートに入射される光の光軸上に第１受光器４Ｂを配置する。第２ポートに入射された光が第２多層膜光フィルタ３Ｂで反射し、その反射した光の光軸上に第２受光器４Ａを配置する。
更に、第２ポート１Ｂから入射した光の光軸上に第３受光器４Ｃを配置し、第１ポート１Ａから入射した光が第１多層膜光フィルタ３Ａで反射し、その反射した光の光軸上に第４受光器４Ｄを配置する。
このように、第１多層膜光フィルタ３Ａと第２多層膜光フィルタ３Ｂに対して第１受光器４Ａ〜第４受光器４Ｄを配置することにより第１受光器４Ｂは第１多層膜光フィルタ３Ａから透過光を受光すると、その光は第１多層膜光フィルタ３Ａで検出すべき波長の光であることと、その伝搬方向が第１ポート１Ａから第２ポート１Ｂへ向う方向であることが解る。
【００１４】
また、第２受光器４Ａが第１多層膜光フィルタ３Ａからの透過光を検出した場合には、その光はこの第１多層膜光フィルタ３Ａで検出すべき波長の光であることと、その伝搬方向が第２ポート１Ｂから第１ポート１Ａに向う方向であることが解る。
更に、第３受光器４Ｃが第２多層膜光フィルタ３Ｂからの透過光を検出すると、その光は第２多層膜光フィルタ３Ｂで検出すべき波長の光であることと、その伝搬方向は第２ポート１Ｂから第１ポート１Ａの方向であることが解る。
更に、第４受光器４Ｄが第２多層膜光フィルタ３Ｂからの透過光を検出した場合は、その光は第２多層膜光フィルタ３Ｂで検出すべき波長の光であることと、その伝搬方向が第１ポート１Ａから第２ポート１Ｂの方向であることが解る。
【００１５】
このようにして２つの波長の光の存在と、その伝搬方向を常時モニタすることができる。
【実施例１】
【００１６】
図５にこの発明による光モニタモジュールの一実施例を示す。この実施例ではこの発明による光モニタモジュールの構成にアンプ７、ＡＤ変換器８、演算装置９、表示装置１０を付加し、装置１１と１２の間で異なる２つの波長λ１とλ２を一芯の光ファイバＦ１、Ｆ２で光伝送している光伝送路をもモニタする構成とした光モニタモジュール１００の実施例を示す。
ここでは、装置１１から装置１２へ光伝送する光の波長をλ１、装置１２から装置１１へ光伝送する光の波長をλ２とする。更に、第１ポート１Ａと第２ポート１Ｂとしては光レセプタクルを用い、この光レセプタクルに光ファイバＦ１とＦ２に接続した光コネクタ６Ａ、６Ｂを装着し、この光コネクタ６Ａと６Ｂを通して装置１１と光モニタモジュール１００及び装置１２との間の光伝送路を接続する構造とした場合を示す。
【００１７】
第１ポート１Ａ、第２ポート１Ｂ、レンズ２Ａ、２Ｂ、光学ブロック５、第１受光器４Ａ〜第４受光器４Ｄ、アンプ７、ＡＤ変換器８、演算装置９、表示装置１０はそれぞれ支持基板１４に支持れている。光学ブロック５は光の屈折率ｎがｎ＝１．３４より小さい値を持つ例えば低屈折率のクライオライト或はフッ素系ポリマを用いる。屈折率ｎがｎ＞１．４１である材料を用いた場合にはその面に４５°で入射した光は多層膜光フィルタ３Ａ、３Ｂの有無に係わらず全てが反射し、光学ブロック５の外側に出射しない。尚、図１乃至図４では、光学ブロック５から出射する光の光軸は光学ブロック５の面に沿う方向に屈折した状態を示したが、これは光学ブロック５から空気に伝搬するとの媒質の違いによって生じる屈折を表している。
【００１８】
光ファイバＦ１の端末に備わっている光コネクタ６Ａを光モニタモジュール１００の第１ポート１Ａに接続し、光ファイバＦ２に備わっている光コネクタ６Ｂを光モニタモジュール１００の第２ポート１Ｂに接続する。装置１１から装置１２へ光伝送する波長λ１の光は、光ファイバＦ１を通り、光コネクタ６Ａを通り光モニタモジュール１００の第１ポート１Ａを通り、レンズ２Ａを通り、第１多層膜光フィルタ３Ａに達する。第１多層膜光フィルタ３Ａに達した光は第１多層膜光フィルタ３Ａの特性により第１受光器４Ｂへ向う光と第２多層膜光フィルタ３Ｂへ向う光に分岐される。第１受光器４Ｂに向った光は第１受光器４Ｂにより光から電気信号に変換され、アンプ７により信号が増幅され、ＡＤ変換器８によりデジタル化され、演算装置９により他の受光器４Ａ、４Ｃ、４Ｄからの信号の有無と照合され、他の受光器特に受光器４Ａからの信号が無であることを確認して第１ポート１Ａから波長λ１の光が入射され、第２ポート１Ｂに向って伝搬していることを表示装置１０に表示する。これと共に、第１多層膜光フィルタ３Ａで反射し、第２多層膜光フィルタ３Ｂに向った光は第２多層膜光フィルタ３Ｂでも反射し、レンズ２Ｂと第２ポート１Ｂと光ファイバＦ２を通じて装置１２へ伝送される。
【００１９】
また、装置１２から装置１１へ光伝送する波長λ２の光は光ファイバＦ２とコネクタ６Ｂと第２ポート１Ｂを構成する光レセプタクルとレンズ２Ｂを通り、第２多層膜光フィルタ３Ｂに入射する。第２多層膜光フィルタ３Ｂでは波長λ２の光に対してはその一部を透過させ、他の残余は反射させる。この結果、一部は第３受光器４Ｃへ向かい、他は第１多層膜光フィルタ３Ａに向って反射する。第３受光器４Ｃへ向った光は第３受光器４Ｃで電気信号に変換される。変換された電気信号はアンプ７で増幅され、ＡＤ変換器８でＡＤ変換され、デジタル信号が演算装置９に入力される。演算装置９は他の受光器特に第４受光器４Ｄからの信号が無であることを確認し、第３受光器４Ｃでのみ光が受光されたことから波長λ２の光が第２ポート１Ｂから入射し、第１ポート１Ａに向って伝搬していると判定し、表示装置１０にそれを表示する。これと共に、第２多層膜光フィルタ３Ｂで反射した波長λ２の光は第１多層膜光フィルタ３Ａでも反射し、レンズ２Ａと第１ポート１Ａ、光コネクタ６Ａ、光ファイバＦ１を通じて装置１１に伝送される。
【００２０】
ここで光コネクタ６Ａを第２ポート１Ｂに接続し、光コネクタ６Ｂを第１ポート１Ａに接続した場合の動作を説明する。
装置１１から送信された波長λ１の光は光ファイバＦ１と、光コネクタ６Ａと第２ポート１Ｂとレンズ２Ｂを通じて第２多層膜光フィルタ３Ｂに入射する。第２多層膜光フィルタ３Ｂは波長λ１の光を全反射させ第１多層膜光ファイバ３Ａに入射させる。第１多層膜光フィルタ３Ａではその一部を透過させ、その透過光を第２受光器４Ａに受光させる。演算装置１０は第２受光器４Ａに受光が検出されたことを知って、第２ポート１Ｂから波長λ１の光が入射されていると判定し、その状態を表示装置１０に表示させる。これと共に、第１多層膜光フィルタ３Ａで反射した光はレンズ２Ａ、第１ポート１Ａ、光コネクタ６Ｂ、光ファイバＦ２を通じて装置１２に伝送される。
【００２１】
装置１２から送信された波長λ２の光は光ファイバＦ２と、光コネクタ６Ｂと、第１ポート１Ａと、レンズ２Ａを通って第１多層膜光フィルタ３Ａに入射する。第１多層膜光フィルタ３Ａは波長λ２の光に対しては全てを反射させるから、入射した波長λ２の光は全て第２多層膜光フィルタ３Ｂに反射される。第２多層膜光フィルタ３Ｂでは波長λ２の光に対してはその一部を透過させるから、この場合には第４受光器４Ｄに透過光が入力され、第４受光器４Ｄは電気信号を出力する。この電気信号により演算装置９は波長λ２の光が第１ポートＡから入射されていると判定し、その判定結果を表示装置１０に表示する。
【００２２】
図６に表示装置の一例を示す。表示器は波長λ１とλ２に仕分けされ、これら２つの波長λ１とλ２の光が第１ポート１Ａから第２ポート１Ｂへ伝搬している状態と、第２ポート１Ｂから第１ポート１Ａに向って伝搬している状態とをそれぞれ発光素子ＬＥＤ１〜ＬＥＤ４の点灯で表示するように構成した場合を示す。つまり、ＬＥＤ１が点灯した場合は波長λ１の光が第１ポート１Ａから第２ポート１Ｂに向って伝搬している状態を表示する。また、ＬＥＤが点灯した場合には波長λ１の光が第２ポート１Ｂから第１ポート１Ａに向って伝搬している状態を表示する。更に、ＬＥＤ３が点灯した場合は波長λ２の光が第１ポート１Ａから第２ポート１Ｂに向って伝搬している状態を表示し、ＬＥＤ４が点灯すると、波長λ２の光が第２ポート１Ｂから第１ポート１Ａに伝搬している状態を表示する。
【００２３】
従って、発光素子ＬＥＤ〜ＬＥＤ４の点灯の組み合わせにより波長λ１とλ２の光の存在と、その伝搬方向を表示することができる。
【実施例２】
【００２４】
図７に本発明の実施例２を示す。この実施例２では支持基板１４に互に軸線が平行する２本の光ファイバ支持用Ｖ溝１５Ａ、１５Ｂを形成し、この光ファイバ支持用Ｖ溝１５Ａ、１５Ｂに光ファイバＦ１とＦ２を位置決めして固定する。更に光ファイバＦ１、Ｆ２の端面と対向してレンズ２Ａ、２Ｂを配置し、レンズ２Ａ、２Ｂを通じて光学ブロック５に光を入射させる。従って、光ファイバ支持用Ｖ溝１５Ａと光ファイバＦ１によって第１ポート１Ａが構成され、また、光ファイバ支持用Ｖ溝１５Ｂと、光ファイバＦ２によって第２ポート１Ｂが構成される。図７に示す実施例ではボールレンズを用いた場合を示す。また、この実施例２では第１受光器４Ａ〜第４受光器４Ｄを密閉型の受光素子を用いた場合を示すが、必ずしも密閉型に限られるものでなく、チップ型の受光素子を用いることもできる。その他の構成は実施例１と同じであるから、ここではこれ以上の詳細説明は省略する。
【実施例３】
【００２５】
図８にこの発明の実施例３を示す。この実施例３では図７に示した実施例においてレンズ２Ａ、２Ｂを一体型のレンズを用いた場合を示す。更に、この実施例では第１多層膜光フィルタ３Ａと第２多層膜光フィルタ３Ｂを透明板１７に成膜し、この透明板１７をほぼ９０°交叉させた姿勢に支持して配置した場合を示す。このように構成した場合も、上述と同様の作用効果を得ることができる。
【実施例４】
【００２６】
図９にこの発明の実施例４を示す。この実施例は請求項６で提案する光モニタモジュールの実施例に対応する。図９に示す実施例では支持基板１４上に２組の光モニタモジュール１０１と１０２を実装し、それぞれの光モニタモジュール１０１と１０２で用いる第１多層膜光フィルタ３Ａと第２多層膜光フィルタ３Ｂの検出対象波長をλ１とλ２及びλ３とλ４のように異ならせておくことにより、波長λ１とλ２及びλ３とλ４の光の存在と、伝搬方向とをモニタすることができる。図９では共通の支持基板１４上に２組の光モニタモジュール１０１と１０２を構成した例を示したが、特にその組数に制限がないことは容易に理解できよう。また、図５に示した構成により検出波長が異なる複数の光モニタモジュール１００を用意し、これら複数の光モニタモジュール１００を光ファイバによって縦続接続してもよい。
【産業上の利用可能性】
【００２７】
この発明による光モニタモジュールは光通信の分野で活用される。
【図面の簡単な説明】
【００２８】
【図１】この発明の構成要素とその動作を説明するための配置図。
【図２】図１と同様の配置図。
【図３】図１と同様の配置図。
【図４】図１と同様の配置図。
【図５】この発明の実施例１を説明するための配置図。
【図６】図５に示した実施例に用いる表示装置を説明するための図。
【図７】この発明の実施例２を説明するための配置図。
【図８】この発明の実施例３を説明するための配置図。
【図９】この発明の実施例４を説明するための配置図。
【図１０】従来の技術を説明するための配置図。
【図１１】従来の技術の他の例を説明するための断面図。
【図１２】図１１に示した従来の技術に用いる表示装置の構成を説明するための接続図。
【符号の説明】
【００２９】
１Ａ        第１ポート              ４Ａ        第２受光器    
１Ｂ        第２ポート              ４Ｂ        第１受光器
Ｆ１、Ｆ２        光ファイバ              ４Ｃ        第３受光器
２Ａ、２Ｂ        レンズ                  ４Ｄ        第４受光器
３Ａ        第１多層膜光フィルタ      ５        光学ブロック
３Ｂ        第２多層膜光フィルタ  
【図１】
2006235482.tif 000003
【図２】
2006235482.tif 000004
【図３】
2006235482.tif 000005
【図４】
2006235482.tif 000006
【図５】
2006235482.tif 000007
【図６】
2006235482.tif 000008
【図７】
2006235482.tif 000009
【図８】
2006235482.tif 000010
【図９】
2006235482.tif 000011
【図１０】
2006235482.tif 000012
【図１１】
2006235482.tif 000013
【図１２】
2006235482.tif 000014